(57)【要約】      （修正有）【課題】タブレットコンピュータが落ちることを防ぎ、安心して操作することができるタブレットコンピュータ脱落防止構造を提供する。【解決手段】タブレットコンピュータ脱落防止構造は、内部に位置決め空間を有する保護装置１と、脱落防止ベルト２とを備える。保護装置１は、位置決め空間を構成する４つの側辺１７ａ，１７ｂ，１７ｃ，１７ｄを有し、ウィンドウ１１が前面に設けられている。脱落防止ベルト２は、保護装置１の少なくとも１つの側辺１７ａ，１７ｂ，１７ｃ，１７ｄに取り付けられる。保護装置１は、側面に収納口が設けられた保護ケースである。収納口は、結合板１４に接続された蓋板に接続される。保護ケースの前面には、結合板１４上に設けられた結合面を接合させることが可能な結合面を収納口近傍に有する。【選択図】図２
0003168918.tif 000002
【実用新案登録請求の範囲】
【請求項１】
保護装置と、張度が調整可能な脱落防止ベルトと、を備えるタブレットコンピュータ脱落防止構造であって、
前記保護装置は、位置決め空間を構成する４つの側辺を有し、ウィンドウが前面に設けられ、
前記張度が調整可能な脱落防止ベルトは、前記保護装置の少なくとも１つの側辺に取り付けられることを特徴とするタブレットコンピュータ脱落防止構造。
【請求項２】
前記保護装置は、側面に収納口が設けられた保護ケースであり、
前記収納口は、結合板に接続された蓋板に接続され、
前記保護ケースの前面には、前記結合板上に設けられた結合面を接合させることが可能な結合面を、前記収納口近傍に有することを特徴とする請求項１に記載のタブレットコンピュータ脱落防止構造。
【請求項３】
前記保護装置は、前記位置決め空間を構成する保護カバーであり、各角部にそれぞれ係合部材が設けられ、
前記保護カバーの少なくとも１つの側辺には、前記脱落防止ベルトが取り付けられることを特徴とする請求項１に記載のタブレットコンピュータ脱落防止構造。
【考案の詳細な説明】
【技術分野】
【０００１】
本考案は、タブレットコンピュータ脱落防止構造に関し、特に、片手が不自由なユーザでも、張力が調整可能な脱落防止ベルトの内側に手を通して保護装置を把持することにより、タブレットコンピュータの保護装置の位置決めを行うことができるため、ユーザが無理なくタブレットコンピュータを保持し、安定的に操作することが可能であり、タブレットコンピュータが手から滑り落ちることを防ぐとともに、ユーザの手の疲労を軽減させることができるタブレットコンピュータ脱落防止構造に関する。
【背景技術】
【０００２】
科学技術の発展により、近年、例えば、電子書籍リーダー、ｉＰａｄ（登録商標）などの様々な種類のタブレットコンピュータが市販されている。特にｉＰａｄは、薄型軽量で携帯に便利であるとともに、コンピュータの基本機能を有するため、現在最も人気の高いタブレットコンピュータであり、多くの人が保有している。タブレットコンピュータは、操作するのが便利であるが、表面と背面とがそれぞれ平面形状であるため、ユーザがタブレットコンピュータを手に持つとき、タブレットコンピュータの背部両側面に、両手の４本の指をそれぞれ平らにして当接させる必要がある。さらに、両手の親指をモニターの周縁部に当接させ、親指と、それ以外の４本の指との力によりタブレットコンピュータを挟持する。しかしながら、タブレットコンピュータは、一定の重量があるため（複数のアプリケーションを使用するとき素早く傾斜させたり回したりする必要がある）、長時間に亘って指の力だけでタブレットコンピュータを把持して操作した場合、ユーザの指の握力が弱まり、使用中にタブレットコンピュータが手から滑り落ちる虞がある（特に片手が不自由なユーザが使用する場合に頻繁に滑り落ちるため、好ましくない）。タブレットコンピュータは、高価であるため、脱落防止装置を装着しないことにより落下して損壊すると、資源の浪費となる。また、ユーザは、指の力だけでタブレットコンピュータを保持するため、タブレットコンピュータが、操作中に手から滑り落ちることが気にかかり、安心して操作できない虞がある。例えば、タブレットコンピュータを傾けることによりプレイヤーの移動方向を制御するゲームをする場合、ユーザは指だけを用いて滑り易いタブレットコンピュータを保持し、長時間に亘って前後、左右及び上下方向に揺らすことによりモニターに表示されたプレイヤーの進行方向を制御することは困難である。ユーザは、揺らす際にタブレットコンピュータが落下することを心配する場合、安心してゲームのアプリケーションを操作することができないため、時間が経つにつれて娯楽に対する興味が低下し、タブレットコンピュータの使用頻度が減る場合があり、これは好ましくない現象である（世界中のゲーム利用者は数多く、携帯に便利なタブレットコンピュータを用いてゲームをダウンロードする人数は増加し続けており、タブレットコンピュータの商品価値は高い。疲労を軽減する効果をも有する脱落防止ベルトにより、ユーザは安心してタブレットコンピュータを使用することができる）。そのため、ユーザがタブレットコンピュータを把持する箇所に、脱落防止ベルトを取り付けた場合、タブレットコンピュータの操作に対するユーザの興味を高めることができる。
【０００３】
従来、デジタルビデオカメラの一部には、ユーザが安定的に撮影を行うための脱落防止ベルトが取り付けられているため、このデジタルビデオカメラの脱落防止ベルトと、本考案の脱落防止ベルトとが混同されないように、以下、デジタルビデオカメラの脱落防止ベルトの主な機能を説明する。デジタルビデオカメラの脱落防止ベルトは、両端がカメラ本体に設けられた２つの貫通孔にそれぞれ嵌合することにより、デジタルビデオカメラの側面部に取り付けられる。デジタルビデオカメラは略長方体形状をなすため、ユーザは、デジタルビデオカメラを使用する場合、ベルトの下方から手を通し、デジタルビデオカメラの下部を親指で保持し、デジタルビデオカメラの上部を残りの指で固定することにより、デジタルビデオカメラを把持する。デジタルビデオカメラは、下部がユーザの手の平の中で保持されるため、ユーザは手全体の握力によりデジタルビデオカメラを安定的に把持することが可能である。ユーザは、親指を下向きにし、それ以外の４本の指を上向きにして手を丸め、デジタルビデオカメラを強固に掴持する（タブレットコンピュータは、上部にユーザの親指が当接され、下部に親指以外の４本の指が当接されて保持されるため、重心が４本の指にかかる。そのため本考案の実施形態による脱落防止ベルトを用いることにより、ユーザの手の疲労を軽減し、脱落を防ぐことが可能である）。デジタルビデオカメラにベルトが取り付けられることにより、ユーザは安定的にデジタルカメラを把持して撮影することが可能になるが、デジタルビデオカメラ本体の強度が低下し、外観が損なわれる虞がある。
【０００４】
上述したことから明らかなように、デジタルビデオカメラを安定的に把持するために用いる従来のベルトと、本考案の疲労を軽減する脱落防止ベルトとは機能上明白な相違点がある上、デジタルビデオカメラは、上面及び底面の面積が小さく、一定の高さを有するため、ユーザは手全体（指を含む）の力によりデジタルビデオカメラを安定的に把持することができる。そのため、デジタルビデオカメラを落とす虞がない。しかし、タブレットコンピュータは、前面及び背面の面積が大きく、平面形状かつ薄型であるため、ユーザはタブレットコンピュータを指の力だけで把持し、手全体の力により把持することができなかった。
【考案の概要】
【考案が解決しようとする課題】
【０００５】
本考案の第１の目的は、保護装置の少なくとも１つの側辺に取り付けられた脱落防止ベルトを利用することにより、ユーザが安心してタブレットコンピュータを操作することができるタブレットコンピュータ脱落防止構造を提供することにある。
本考案の第２の目的は、ケース体又はカバー体の構造である保護装置により、タブレットコンピュータの筐体表面に擦り傷及び掻き傷が発生して全体の外観が損なわれることを防ぐことができるタブレットコンピュータ脱落防止構造を提供することにある。
本考案の第３の目的は、張度が調整可能な脱落防止ベルトを用いて、ユーザの手をタブレットコンピュータに固定することにより、ユーザがタブレットコンピュータを把持しなくても落ちないため、操作によりユーザの手が疲労することを防ぐことができるタブレットコンピュータ脱落防止構造を提供することにある。
【課題を解決するための手段】
【０００６】
上記課題を解決するために、保護装置と、張度が調整可能な脱落防止ベルトと、を備えるタブレットコンピュータ脱落防止構造であって、前記保護装置は、位置決め空間を構成する４つの側辺を有し、ウィンドウが前面に設けられ、前記張度が調整可能な脱落防止ベルトは、前記保護装置の少なくとも１つの側辺に取り付けられることを特徴とするタブレットコンピュータ脱落防止構造が提供される。
【０００７】
前記保護装置は、側面に収納口が設けられた保護ケースであり、前記収納口は、結合板に接続された蓋板に接続され、前記保護ケースの前面には、前記結合板上に設けられた結合面を接合させることが可能な結合面を、前記収納口近傍に有することが好ましい。
【０００８】
前記保護装置は、前記位置決め空間を構成する保護カバーであり、各角部にそれぞれ係合部材が設けられ、前記保護カバーの少なくとも１つの側辺には、前記脱落防止ベルトが取り付けられることが好ましい。
【考案の効果】
【０００９】
本考案のタブレットコンピュータ脱落防止構造は、以下（１）〜（３）の効果を有する。
（１）保護装置の少なくとも１つの側辺に取り付けられた脱落防止ベルトを利用することにより、ユーザは安心してタブレットコンピュータを操作することができる。
（２）ケース体又はカバー体の構造である保護装置により、タブレットコンピュータの筐体表面に擦り傷及び掻き傷が発生して全体の外観が損なわれることを防ぐことができる。
（３）張度が調整可能な脱落防止ベルトを用いて、ユーザの手をタブレットコンピュータに固定することにより、ユーザがタブレットコンピュータを把持しなくても落ちないため、操作によりユーザの手が疲労することを防ぐことができる。
【図面の簡単な説明】
【００１０】
【図１Ａ】本考案の第１実施形態によるタブレットコンピュータ脱落防止構造を示す斜視図である。
【図１Ｂ】本考案の第１実施形態によるタブレットコンピュータ脱落防止構造を示す斜視図である。
【図１Ｃ】本考案の第１実施形態によるタブレットコンピュータ脱落防止構造を示す斜視図である。
【図１Ｄ】本考案の第１実施形態によるタブレットコンピュータ脱落防止構造を示す斜視図である。
【図２】本考案の第１実施形態によるタブレットコンピュータ脱落防止構造を使用するときの状態を示す正面図である。
【図３】本考案の第２実施形態によるタブレットコンピュータ脱落防止構造を示す断面斜視図である。
【図４】本考案の第３実施形態によるタブレットコンピュータ脱落防止構造を示す斜視図である。
【図５】本考案の第４実施形態によるタブレットコンピュータ脱落防止構造を示す斜視図である。
【図６Ａ】本考案の第５実施形態によるタブレットコンピュータ脱落防止構造を示す平面図である。
【図６Ｂ】本考案の第６実施形態によるタブレットコンピュータ脱落防止構造を示す平面図である。
【考案を実施するための形態】
【００１１】
以下、本考案の実施形態について図に基づいて説明する。なお、これによって本考案が限定されるものではない。
【００１２】
（第１実施形態）
図１Ａ〜図１Ｄ及び図２を参照する。図１Ａ〜図１Ｄ及び図２に示すように、本考案の第１実施形態によるタブレットコンピュータ脱落防止構造は、保護装置１と、張度が調整可能な少なくとも１つの脱落防止ベルト２とから構成される。
【００１３】
保護装置１は、側辺１７ａ〜１７ｄにより形成された保護ケースであり、タブレットコンピュータ３を位置決め空間１８に収納する位置を決めるために用いる。保護装置１は、前面にウィンドウ１１が設けられ、側面に、タブレットコンピュータ３を位置決め空間１８内に収納するために用いる収納口１２が設けられる。タブレットコンピュータ３は、ウィンドウ１１を介して露出される。収納口１２は、結合板１４に接続された蓋板１３と接続されている。また、保護装置１の前面には、収納口１２近傍の適宜な箇所に第１の結合面が設けられ、結合板１４上には、第２の結合面１１２と接合される第２の結合面１１２が設けられている。結合板１４上の第２の結合面１１２と、第１の結合面とが接合されると、蓋板１３が収納口１２を封止し、保護装置１の中にタブレットコンピュータ３を安定的に収納することができる。タブレットコンピュータ３は、保護装置１により覆われるため、筐体表面に擦り傷及び掻き傷が発生したり、全体の外観及び質感が損なわれたりすることを防ぐことができる。
【００１４】
脱落防止ベルト２は、保護装置１の側辺１７ａ〜１７ｄのうちの少なくとも１つの側辺に取り付けられる。また、脱落防止ベルト２は、弾性を有する帯体又は伸縮性を有する帯体からなり、ユーザの手５をタブレットコンピュータ３に固定させることができる。
【００１５】
第１の結合面及び第２の結合面１１２は、互いに強固に貼り付いて剥がれ難くなるように、面ファスナのループ面又はフック面からなってもよい。
【００１６】
脱落防止ベルト２は、保護装置１の側辺１７ａだけに取り付けられてもよい（図１Ａ参照）。
【００１７】
脱落防止ベルト２は、保護装置１の互いに対向する側辺１７ａ及び側辺１７ｃだけに取り付けられてもよい（図１Ｂ参照）。
【００１８】
脱落防止ベルト２は、保護装置１の側辺１７ａ、側辺１７ｂ及び側辺１７ｃだけに取り付けられてもよい（図１Ｃ参照）。
【００１９】
脱落防止ベルト２は、保護装置１の側辺１７ａ〜側辺１７ｄにそれぞれ取り付けられてもよい（図１Ｄ参照）。
【００２０】
脱落防止ベルト２は、ステッチ、接着、高周波溶着などの方式により、保護装置１の側辺１７ａ〜側辺１７ｄの何れか１つだけの側辺や２つ以上の側辺に取り付けられてもよい。
【００２１】
蓋体（図示せず）は、保護装置１のウィンドウ１１上に設置されてもよく、タブレットコンピュータ３を使用しないとき、ウィンドウ１１を封止するために用い、モニターを保護する効果を得てもよい。蓋体は、透明又は非透明の材料からなり、保護装置１のウィンドウ１１上に直接固設されたり、ウィンドウ１１に着脱可能に取り付けられたりしてもよい。
【００２２】
図２を参照する。図２に示すように、ユーザは、保護装置１の両側面に取り付けられた脱落防止ベルト２の内側に、両手の４本の指を通すと、タブレットコンピュータ３を把持し操作することができる。張度が調整可能な脱落防止ベルト２により、タブレットコンピュータ３にユーザの手５を固定させ、４本の指５１を平らにして保護装置１の背面（図示せず）に当接させる。親指５２は、保護装置１の周縁部表面に当接させ、４本の指５１及び親指５２の力によりタブレットコンピュータ３を把持する。脱落防止ベルト２は、ユーザの手の甲５３近傍の４本の指５１の関節部に位置し、ユーザの手５は、脱落防止ベルト２と、保護装置１の側辺１７ａ及び側辺１７ｃと、により緊密に挟まれることにより、保護装置１の側辺１７ａ及び側辺１７ｃに位置決めされる。そのため、たとえユーザの４本の指５１及び親指５２がタブレットコンピュータ３を強く把持しなくても、手からタブレットコンピュータ３が滑り落ちることはない。このため、ユーザは、タブレットコンピュータ３を使用しているときに落として損壊したり、長時間に亘って使用することにより、手の握力が低下してタブレットコンピュータ３を保持できなくなったりすることを心配する必要がない。このように、タブレットコンピュータ３を把持したり操作したりすることを無理なく行うことができるため、手の疲労を軽減させることができる。
【００２３】
（第２実施形態）
図３を参照する。図３に示すように本考案の第２実施形態によるタブレットコンピュータ脱落防止構造は、保護装置１が脱落防止ベルト２の側辺の内壁に取り付けられ、補強層４が設けられることにより、使用上、構造全体を強化する効果と、保護装置１の寿命を延長する効果と、を有する。
【００２４】
補強層４は、織物、皮革、合成皮革などからなってもよい。
【００２５】
（第３実施形態）
図４を参照する。図４に示すように、本考案の第３実施形態によるタブレットコンピュータ脱落防止構造は、保護ケースの前面及び背面にそれぞれウィンドウ１１及びウィンドウ１５が設けられる。前面のウィンドウ１１により、タブレットコンピュータ３のモニターを露出させ、背面のウィンドウ１５によりタブレットコンピュータ３の本体から発生する高い動作温度を放熱してもよい。本考案の第３実施形態は、上述の点だけが第１実施形態と異なる。そのため第１実施形態と同じ部分については、ここでは繰り返して述べない。
【００２６】
（第４実施形態）
図５を参照する。図５に示すように、本考案の第４実施形態による保護装置１’は、保護カバータイプであり、この保護カバーは、第１実施形態と同じく、側辺１７ａ’〜側辺１７ｄ’により位置決め空間１８’を形成し、角部にそれぞれ係合部材１６’が設けられてもよい。タブレットコンピュータ３は、保護カバーの位置決め空間１８’内に収納されるとき、係合部材１６’と係合し、保護カバーの内に安定的に位置決めされる。また、保護カバーは、側辺１７ａ’〜側辺１７ｄ’のうちの少なくとも１つの側辺に脱落防止ベルト２が取り付けられることにより、第１実施形態と同様に、タブレットコンピュータ３を保護し、挟持し易い効果を得ることができる。
【００２７】
（第５実施形態及び第６実施形態）
図６Ａ及び図６Ｂを参照する。図６Ａ及び図６Ｂに示すように、本考案の第５実施形態及び第６実施形態による脱落防止ベルト２は、弾性を有する帯体又は伸縮性を有する帯体からなってもよい上、本考案の第５実施形態では、２段式調整タイプの態様である（図６Ａ参照）。本考案の第５実施形態による保護装置１は、脱落防止ベルト２が取り付けられる側辺１７ａに設けられた略“∞”の形状をした２段式の２つの調整孔１９により、脱落防止ベルト２の張力を調整することができる。
【００２８】
図６Ｂを参照する。図６Ｂに示すように、本考案の第６実施形態による保護装置１は、脱落防止ベルト２が取り付けられる側辺１７ａに、２つ以上の位置決め孔２０ａ及び位置決め孔２０ｂを有する。脱落防止ベルト２は、一方の端部が位置決め孔２０ａに嵌入され、面ファスナ２２を有する他方の端部が位置決め孔２０ｂに挿通され、表面中央部の適宜な箇所に面ファスナ２１を有する。脱落防止ベルト２の端部に設けられた面ファスナ２２を内側に向かって折り返し、脱落防止ベルト２の中央部に設けられた面ファスナ２１に接合させると、ユーザの必要に応じて脱落防止ベルト２の長さ及び張力を調整することができる。
【００２９】
上述したことから分かるように、本考案のタブレットコンピュータ脱落防止構造は、以下（１）〜（３）の長所を有する。
（１）保護装置の少なくとも１つの側辺に取り付けられた脱落防止ベルトを利用することにより、ユーザが安心してタブレットコンピュータを操作することができる。
（２）ケース体又はカバー体の構造である保護装置により、タブレットコンピュータの筐体表面に擦り傷及び掻き傷が発生して全体の外観が損なわれることを防ぐことができる。
（３）張度が調整可能な脱落防止ベルトを用いて、ユーザの手をタブレットコンピュータに固定することにより、ユーザがタブレットコンピュータを把持しなくても落ちないため、操作によりユーザの手が疲労することを防ぐことができる。
【００３０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３１】
１  保護装置
１’  保護装置
２  脱落防止ベルト
３  タブレットコンピュータ
４  補強層
５  手
１１  ウィンドウ
１２  収納口
１３  蓋板
１４  結合板
１５  ウィンドウ
１６’  係合部材
１７ａ  側辺
１７ｂ  側辺
１７ｃ  側辺
１７ｄ  側辺
１７ａ’  側辺
１７ｂ’  側辺
１７ｃ’  側辺
１７ｄ’  側辺
１８  位置決め空間
１８’  位置決め空間
１９  調整孔
２０ａ  位置決め孔
２０ｂ  位置決め孔
２１  面ファスナ
２２  面ファスナ
５１  ４本の指
５２  親指
５３  手の甲
１１１  第１の結合面
１１２  第２の結合面
【図１Ａ】
0003168918.tif 000003
【図１Ｂ】
0003168918.tif 000004
【図１Ｃ】
0003168918.tif 000005
【図１Ｄ】
0003168918.tif 000006
【図２】
0003168918.tif 000007
【図３】
0003168918.tif 000008
【図４】
0003168918.tif 000009
【図５】
0003168918.tif 000010
【図６Ａ】
0003168918.tif 000011
【図６Ｂ】
0003168918.tif 000012
【手続補正書】
【提出日】平成23年4月25日(2011.4.25)
【手続補正１】
【補正対象書類名】実用新案登録請求の範囲
【補正対象項目名】全文
【補正方法】変更
【補正の内容】
【実用新案登録請求の範囲】
【請求項１】
内部にタブレットコンピュータを収納するための位置決め空間を有する保護装置と、脱落防止ベルトと、を備えるタブレットコンピュータ脱落防止構造であって、
前記保護装置は、前記位置決め空間を構成する４つの側辺を有し、ウィンドウが前面に設けられ、
前記脱落防止ベルトは、前記保護装置の少なくとも１つの側辺に取り付けられることを特徴とするタブレットコンピュータ脱落防止構造。
【請求項２】
前記保護装置は、側面に収納口が設けられた保護ケースであり、
前記収納口は、結合板に接続された蓋板に接続され、
前記保護ケースの前面には、前記結合板上に設けられた結合面を接合させることが可能な結合面を、前記収納口近傍に有することを特徴とする請求項１に記載のタブレットコンピュータ脱落防止構造。
【請求項３】
前記保護装置は、前記位置決め空間を構成する保護カバーであり、各角部にそれぞれ係合部材が設けられ、
前記保護カバーの少なくとも１つの側辺には、前記脱落防止ベルトが取り付けられることを特徴とする請求項１に記載のタブレットコンピュータ脱落防止構造。